(57)【要約】【課題】ＭＩＭＯ−ＯＦＤＭ通信システムにおいて、バースト誤りを効果的に分散させ、誤り訂正復号による誤り訂正の効果を一層充分に得ることを可能にする。【解決手段】端末装置１００の符号化部１１０は、送信系統１のインタリーブ処理として、ビットインタリーブ、周波数インタリーブおよび時間インタリーブを行い、送信系統２のインタリーブ処理として、送信系統１とは異なる並び替えパターンに従った各種のインタリーブ処理を行う。基地局装置２００のデインタリーブ部２３０は、送信系統１，２毎に、符号化部１１０の送信系統１，２毎のインタリーブ処理に対応した並び替えのパターンに従ったデインタリーブ処理を行う。これにより、送信系統間で異なる並び替えパターンに従ったインタリーブ処理を行うから、送信系統間に同時に発生するバースト誤りを効果的に分散させることができる。【選択図】図３
2010147630.tif 000002
【特許請求の範囲】
【請求項１】
生成多項式を用いた符号化により複数の送信系統の信号を生成し、前記複数の送信系統の信号のそれぞれに、所定の並び替えパターンに従ったインタリーブ処理を行い、前記複数の送信系統に対応したそれぞれの送信アンテナからＯＦＤＭ信号を送信するＭＩＭＯ送信装置において、
前記送信系統毎にインタリーブ部を備え、
前記各インタリーブ部は、前記送信系統の信号に対し、他の送信系統のインタリーブ部とは異なる並び替えパターンに従ったインタリーブ処理を行う、ことを特徴とするＭＩＭＯ送信装置。
【請求項２】
請求項１に記載のＭＩＭＯ送信装置において、
前記送信系統毎に、ビット単位の遅延を施してビット位置を並び替えるためのビットインタリーブ処理を行うインタリーブ部を備え、
前記各インタリーブ部は、前記送信系統の信号に対し、他の送信系統のインタリーブ部とは異なる大きさのビット単位の遅延を施すためのビットインタリーブ処理を行う、ことを特徴とするＭＩＭＯ送信装置。
【請求項３】
請求項１に記載のＭＩＭＯ送信装置において、
前記送信系統毎に、所定の生成多項式に所定の初期値を与えて擬似ランダム系列の信号を生成し、前記擬似ランダム系列の信号を用いて、データキャリアのキャリア位置を並び替えるための周波数インタリーブ処理を行うインタリーブ部を備え、
前記各インタリーブ部は、前記送信系統の信号に対し、他の送信系統のインタリーブ部とは異なる擬似ランダム信号を用いて周波数インタリーブ処理を行う、ことを特徴とするＭＩＭＯ送信装置。
【請求項４】
請求項３に記載のＭＩＭＯ送信装置において、
前記各インタリーブ部は、他の送信系統のインタリーブ部とは異なる生成多項式または初期値から擬似ランダム信号を算出し、前記送信系統の信号に対し、前記擬似ランダム信号を用いて周波数インタリーブ処理を行う、ことを特徴とするＭＩＭＯ送信装置。
【請求項５】
請求項１に記載のＭＩＭＯ送信装置において、
前記送信系統毎に、前記送信系統の信号に時間遅延を施して並び替えるための時間インタリーブ処理を行うインタリーブ部を備え、
前記各インタリーブ部は、前記送信系統の信号に対し、他の送信系統のインタリーブ部とは異なる大きさの時間遅延を施すための時間インタリーブ処理を行う、ことを特徴とするＭＩＭＯ送信装置。
【請求項６】
生成多項式を用いた符号化により複数の送信系統の信号を生成し、前記複数の送信系統の信号のそれぞれに、他の送信系統とは異なる並び替えパターンに従ったインタリーブ処理を行い、前記複数の送信系統に対応したそれぞれの送信アンテナからＯＦＤＭ信号を伝送するＭＩＭＯ通信システムにおけるＭＩＭＯ受信装置であって、
受信した前記ＯＦＤＭ信号を前記送信系統毎の信号に復調する復調部と、
前記復調部により復調された送信系統毎の信号に対し、それぞれデインタリーブ処理を行う前記送信系統毎のデインタリーブ部と、
前記各デインタリーブ部によりデインタリーブされた送信系統毎の信号に対し、前記符号化に対応した復号を行う復号部と、を備え、
前記各デインタリーブ部は、前記送信系統毎に異なる並び替えパターンに従ったインタリーブ処理に対応して、前記インタリーブ処理を行う前の送信系統の信号に戻すための、前記他の送信系統とは異なる並び替えパターンに従ったデインタリーブ処理を行う、ことを特徴とするＭＩＭＯ受信装置。
【請求項７】
請求項６に記載のＭＩＭＯ受信装置において、
前記各デインタリーブ部は、前記送信系統毎に異なる並び替えパターンに従ったインタリーブ処理に対応して、時間デインタリーブ処理、周波数デインタリーブ処理およびビットデインタリーブ処理のうちの少なくとも一つの処理を、前記他の送信系統とは異なる並び替えのパターンに従って行う、ことを特徴とするＭＩＭＯ受信装置。
【請求項８】
請求項６または７に記載のＭＩＭＯ受信装置において、
前記復調部は、受信した前記ＯＦＤＭ信号を復調し、誤り訂正復号のために用いるメトリックを前記送信系統毎に生成し、
前記各デインタリーブ部は、前記復調部により復調された送信系統のメトリックに対し、前記インタリーブ処理に対応して前記他の送信系統とは異なる並び替えパターンに従ったデインタリーブ処理を行い、
前記復号部は、前記各デインタリーブ部によりデインタリーブされた送信系統毎のメトリックを入力し、軟判定誤り訂正復号を行う、ことを特徴とするＭＩＭＯ受信装置。
【請求項９】
請求項１から５までのいずれか一項に記載のＭＩＭＯ送信装置と、請求項６から８までのいずれか一項に記載のＭＩＭＯ受信装置と、を備えたことを特徴とするＭＩＭＯ通信システム。
【発明の詳細な説明】
【技術分野】
【０００１】
本発明は、デジタル信号の無線伝送技術に係り、特に、畳み込み符号化などの生成多項式を用いた符号化により生成した信号を、複数の送信アンテナから送信し、複数の受信アンテナにて受信するＭＩＭＯ（Ｍｕｌｔｉｐｌｅ  Ｉｎｐｕｔ  Ｍｕｌｔｉｐｌｅ  Ｏｕｔｐｕｔ）−ＯＦＤＭ信号伝送技術に関するものである。
【背景技術】
【０００２】
従来、取材現場などから放送スタジオまたは中継局まで、ニュース映像やイベントの実況映像などの番組素材を伝送するシステムとして、無線により番組素材の映像信号を伝送する映像無線伝送システムが知られている。この映像無線伝送システムに用いられる装置のうち代表的なものには、ＦＰＵ（Ｆｉｅｌｄ  Ｐｉｃｋ−ｕｐ  Ｕｎｉｔ）装置、ワイヤレスカメラなどがある。その中でも、ワイヤレスカメラによってハイビジョンテレビ信号を低遅延かつ高い回線信頼性で無線伝送することを目的とした新しい映像無線伝送システムの開発が注目されている。この新たな映像無線伝送システムでは、複数の送受信アンテナを用いて同一周波数上で複数のＯＦＤＭ信号の伝送を行うＭＩＭＯ−ＯＦＤＭ伝送方式を用いることが検討されている。
【０００３】
ＭＩＭＯ−ＯＦＤＭ伝送方式は、同一周波数上に複数のＯＦＤＭ信号を送信することにより、空間分割多重伝送を実現するものである（例えば、特許文献１，２を参照）。これにより、伝送速度を送信アンテナの倍数分（ただし、受信アンテナは、送信アンテナの同数以上が必要である。）に拡大することができ、伝送品質を向上させ、また受信アンテナ数を増やすことで受信ダイバーシティ効果による所用Ｃ／Ｎを低下させることができる。
【０００４】
このようなＭＩＭＯ−ＯＦＤＭ伝送方式を用いたワイヤレスカメラの開発では、映像信号を途切れることなく伝送することが特に重要になっている。このため、復調方式には、同一周波数上で混信してＭＩＭＯ−ＯＦＤＭ伝送される複数のＯＦＤＭ信号を高い精度で分離するための信号分離方式が必要になる。そこで、ミリ波モバイルカメラに用いる復調方式として、復調結果から誤差距離を算出し、その誤差距離から尤度（メトリック）を生成して軟判定ビタビ復号を行う軟判定復調方式が検討されてきた（本出願と同一の出願人によりされた、本出願時に未公開の特許出願（特願２００７−１９２１２６号公報）を参照）。
【０００５】
ここで、ビタビ復号を行う復調方式を用いる場合は、連続的に発生する誤り（以下、バースト誤りという。）などの影響を避けるため、伝送データをビット、周波数軸方向および時間軸方向に分散させて伝送するインタリーブ技術が一般的に用いられている（非特許文献１を参照）。ビットインタリーブとは、伝送データをビット単位に入れ替え、キャリアの誤りを分散させるものである。ＭＩＭＯ受信装置は、この逆手順で、受信したデータをビット単位に入れ替えることにより復調する。また、周波数インタリーブとは、伝送データを周波数軸方向にキャリア単位に入れ替え、データを分散させるものである。ＭＩＭＯ受信装置は、逆手順で、受信したデータをキャリア単位に入れ替えることにより復調する。また、時間インタリーブとは、伝送データを時間軸方向にキャリア単位に入れ替え、データを分散させるものである。ＭＩＭＯ受信装置は、この逆手順で、受信したデータをキャリア単位に入れ替えることにより復調する。これらのインタリーブ技術を用いることにより、伝搬路にて劣化した信号に対し、バースト的な誤りをランダム誤りにすることができ、誤り訂正の精度を向上させることができる。
【０００６】
【特許文献１】特開２００６−３４５５００号公報
【特許文献２】特開２００５−１２４１２５号公報
【非特許文献１】電波産業会（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）、ＡＲＩＢ  ＳＴＤ−Ｂ４３、「テレビジョン放送番組素材伝送用可搬形ミリ波帯デジタル無線伝送システム標準規格」
【発明の開示】
【発明が解決しようとする課題】
【０００７】
従来、ＭＩＭＯ送信装置は、畳み込み符号化などの生成多項式により構成される符号化を施した信号を複数の送信系統に分配し、送信系統毎に、前述のビットインタリーブ、周波数インタリーブおよび時間インタリーブの各処理を送信系統間で同一の並び替えパターンに従って行い、送信系統毎に設けられた送信アンテナから信号を送信する。このようなインタリーブ技術を用いることにより、誤り訂正の精度を向上させていた。ここで、並び替えパターンとは、ビットインタリーブ、周波数インタリーブまたは時間インタリーブによりビット方向、周波数軸方向または時間軸方向に伝送データを分散させる場合に、その分散のさせ方の仕組みをいう。
【０００８】
しかしながら、ＭＩＭＯ送信装置とＭＩＭＯ受信装置とにより構成される通信システムにおいて、例えば、互いに相間の高い伝搬路で信号が伝送される見通し環境の下では、伝送された信号が遮蔽されるなどにより、全ての送信系統に対して同時にバースト誤りが発生することがある。この場合、インタリーブの各処理によって、同じ送信系統内の信号に対しては、バースト的な誤りを分散させることは可能である。しかし、送信系統間の信号に着目すると、インタリーブの各処理は送信系統間で同じ並び替えパターンにより行われていることから、インタリーブ前の信号としては同じタイミングの信号に対して誤りが発生していることとなり、インタリーブの各処理によるバースト誤りの分散の効果が限定されてしまう。つまり、バースト誤りに対して、同じ送信系統内ではその誤りを分散させることはできるが、送信系統間ではインタリーブ前の同じタイミングの信号に誤りが発生することになるから、その誤りを分散させることができない。
【０００９】
そこで、本発明は前記課題を解決するためになされたものであり、その目的は、生成多項式を用いた符号化により複数の系列の信号が生成され、ＭＩＭＯ−ＯＦＤＭ伝送方式によりＯＦＤＭ信号が伝送されるシステムにおいて、バースト誤りを効果的に分散させ、誤り訂正復号による誤り訂正の効果を一層充分に得ることが可能なＭＩＭＯ送信装置、受信装置およびシステムを提供することにある。
【課題を解決するための手段】
【００１０】
前記課題を解決するため、本発明によるＭＩＭＯ送信装置は、生成多項式を用いた符号化により複数の送信系統の信号を生成し、前記複数の送信系統の信号のそれぞれに、所定の並び替えパターンに従ったインタリーブ処理を行い、前記複数の送信系統に対応したそれぞれの送信アンテナからＯＦＤＭ信号を送信するＭＩＭＯ送信装置において、前記送信系統毎にインタリーブ部を備え、前記各インタリーブ部が、前記送信系統の信号に対し、他の送信系統のインタリーブ部とは異なる並び替えパターンに従ったインタリーブ処理を行う、ことを特徴とする。
【００１１】
また、本発明によるＭＩＭＯ送信装置は、前記送信系統毎に、ビット単位の遅延を施してビット位置を並び替えるためのビットインタリーブ処理を行うインタリーブ部を備え、前記各インタリーブ部が、前記送信系統の信号に対し、他の送信系統のインタリーブ部とは異なる大きさのビット単位の遅延を施すためのビットインタリーブ処理を行う、ことを特徴とする。
【００１２】
また、本発明によるＭＩＭＯ送信装置は、前記送信系統毎に、所定の生成多項式に所定の初期値を与えて擬似ランダム系列の信号を生成し、前記擬似ランダム系列の信号を用いて、データキャリアのキャリア位置を並び替えるための周波数インタリーブ処理を行うインタリーブ部を備え、前記各インタリーブ部が、前記送信系統の信号に対し、他の送信系統のインタリーブ部とは異なる擬似ランダム信号を用いて周波数インタリーブ処理を行う、ことを特徴とする。
【００１３】
また、本発明によるＭＩＭＯ送信装置は、前記各インタリーブ部が、他の送信系統のインタリーブ部とは異なる生成多項式または初期値から擬似ランダム信号を算出し、前記送信系統の信号に対し、前記擬似ランダム信号を用いて周波数インタリーブ処理を行う、ことを特徴とする。
【００１４】
また、本発明によるＭＩＭＯ送信装置は、前記送信系統毎に、前記送信系統の信号に時間遅延を施して並び替えるための時間インタリーブ処理を行うインタリーブ部を備え、前記各インタリーブ部が、前記送信系統の信号に対し、他の送信系統のインタリーブ部とは異なる大きさの時間遅延を施すための時間インタリーブ処理を行う、ことを特徴とする。
【００１５】
また、本発明によるＭＩＭＯ受信装置は、生成多項式を用いた符号化により複数の送信系統の信号を生成し、前記複数の送信系統の信号のそれぞれに、他の送信系統とは異なる並び替えパターンに従ったインタリーブ処理を行い、前記複数の送信系統に対応したそれぞれの送信アンテナからＯＦＤＭ信号を伝送するＭＩＭＯ通信システムにおけるＭＩＭＯ受信装置であって、受信した前記ＯＦＤＭ信号を前記送信系統毎の信号に復調する復調部と、前記復調部により復調された送信系統毎の信号に対し、それぞれデインタリーブ処理を行う前記送信系統毎のデインタリーブ部と、前記各デインタリーブ部によりデインタリーブされた送信系統毎の信号に対し、前記符号化に対応した復号を行う復号部と、を備え、前記各デインタリーブ部が、前記送信系統毎に異なる並び替えパターンに従ったインタリーブ処理に対応して、前記インタリーブ処理を行う前の送信系統の信号に戻すための、前記他の送信系統とは異なる並び替えパターンに従ったデインタリーブ処理を行う、ことを特徴とする。
【００１６】
また、本発明によるＭＩＭＯ受信装置は、前記各デインタリーブ部が、前記送信系統毎に異なる並び替えパターンに従ったインタリーブ処理に対応して、時間デインタリーブ処理、周波数デインタリーブ処理およびビットデインタリーブ処理のうちの少なくとも一つの処理を、前記他の送信系統とは異なる並び替えのパターンに従って行う、ことを特徴とする。
【００１７】
また、本発明によるＭＩＭＯ受信装置は、前記復調部が、受信した前記ＯＦＤＭ信号を復調し、誤り訂正復号のために用いるメトリックを前記送信系統毎に生成し、前記各デインタリーブ部が、前記復調部により復調された送信系統のメトリックに対し、前記インタリーブ処理に対応して前記他の送信系統とは異なる並び替えパターンに従ったデインタリーブ処理を行い、前記復号部が、前記各デインタリーブ部によりデインタリーブされた送信系統毎のメトリックを入力し、軟判定誤り訂正復号を行う、ことを特徴とする。
【００１８】
また、本発明によるＭＩＭＯ通信システムは、前記送信装置と前記受信装置とを備えたことを特徴とする。
【発明の効果】
【００１９】
以上のように、本発明によれば、生成多項式を用いた符号化により生成した複数の送信系統の信号に対し、送信系統間で異なる並び替えパターンに従ったインタリーブ処理を行うようにした。これにより、送信系統間において、インタリーブ前の同じタイミングの信号に対してバースト誤りが発生することにならないから、同時に発生するバースト誤りを効果的に分散させることができる。したがって、バースト誤りに対して、同じ送信系統内においてその誤りを分散させると共に、送信系統間においても、その誤りを分散させることができる。つまり、誤り訂正復号による誤り訂正の効果を一層充分に得ることが可能となる。この場合、インタリーブ処理およびデインタリーブ処理に必要な時間は、従来の１送信系統のＯＦＤＭ伝送システムと変わることがないから、これらの処理による遅延時間は従来と同様になる。
【発明を実施するための最良の形態】
【００２０】
以下、本発明を実施するための最良の形態について図面を用いて詳細に説明する。
本発明による実施形態は、２本の送信アンテナを備えた端末装置と４本の受信アンテナを備えた基地局装置とにより構成されたＭＩＭＯ−ＯＦＤＭ伝送を行う通信システムであり、例えば、ミリ波モバイルカメラを用いた無線映像伝送システムである。また、ＯＦＤＭ信号の伝送形式は、ＡＲＩＢ  ＳＴＤ−Ｂ４３の規定に従うものとする。
【００２１】
図１は、ＭＩＭＯ−ＯＦＤＭ伝送方式を用いた無線映像伝送システムの構成例を示す図である。この無線映像伝送システムは、２本の送信アンテナ１０１（送信アンテナ＃１および＃２）を備えた端末装置（ＭＩＭＯ送信装置）１００と、４本の受信アンテナ２０１（受信アンテナ＃１、＃２、＃３および＃４）を備えた基地局装置（ＭＩＭＯ受信装置）２００との間でＭＩＭＯ−ＯＦＤＭ伝送を行うミリ波モバイルカメラシステムである。端末装置１００は自由に移動することができるミリ波モバイルカメラであり、２本の送信アンテナ１０１から同一周波数で異なるＯＦＤＭ信号を送信する。なお、基地局装置２００は、端末装置１００により送信されたＯＦＤＭ信号を混信状態で受信し、ＯＦＤＭ信号に含まれるパイロット信号を用いて、送信アンテナ１０１と受信アンテナ２０１との間の全ての伝搬路特性を推定する。詳細については、前述の特許文献２を参照されたい。
【００２２】
〔端末装置〕
次に、図１に示した端末装置１００について説明する。図２は、端末装置１００の構成例を示すブロック図である。この端末装置１００は、符号化部１１０、２系統のＯＦＤＭ信号生成部１２０、２系統の局部発信機およびミキサ１３０、並びに２本の送信アンテナ１０１を備えている。
【００２３】
符号化部１１０は、端末装置１００側で撮影した映像信号を入力し、その映像信号に対してエネルギー拡散、誤り訂正符号化およびインタリーブなどの符号化を行い、２つの送信系統の異なる信号に分離する。ＯＦＤＭ信号生成部１２０は、符号化部１１０により符号化され２つの送信系統に分離された信号に、キャリア変調、フレーム構成、ＩＦＦＴ処理、ＧＩ信号付加などの処理を行い、直交化したＯＦＤＭ信号を生成する。２系統の局部発信機およびミキサ１３０は、ＯＦＤＭ信号生成部１２０により直交化されたＯＦＤＭ信号にＩＦ周波数変換を行う。そして、２つの送信系統のＯＦＤＭ信号は、２本の送信アンテナ１０１からそれぞれ送信される。
【００２４】
（符号化部）
次に、図２に示した符号化部１１０について説明する。図３は、符号化部１１０の構成例を示すブロック図である。この符号化部１１０は、外符号符号化部１１１、外インタリーブ部１１２、内符号符号化部１１３、ビットインタリーブ（第１ビットインタリーブ）部１１４−１、ビットインタリーブ（第２ビットインタリーブ）部１１４−２、周波数インタリーブ（第１周波数インタリーブ）部１１５−１、周波数インタリーブ（第２周波数インタリーブ）部１１５−２、時間インタリーブ（第１時間インタリーブ）部１１６−１、時間インタリーブ（第２時間インタリーブ）部１１６−２を備えている。
【００２５】
外符号符号化部１１１は、データフレーム同期が施されたデータ信号に対してリードソロモン符号の符号化を行う。外インタリーブ部１１２は、外符号符号化部１１１により外符号化された信号に対して畳み込みインタリーブを行う。
【００２６】
内符号符号化部１１３は、外インタリーブ部１１２により畳み込みインタリーブされた信号に対して符号化率１／２の畳み込み符号化を行い、送信系統１の信号および送信系統２の信号を生成し、それぞれのインタリーブ系統へ出力する。具体的には、内符号符号化部１１３は、例えば、原符号の生成多項式（Ｇ１＝１７１ｏｃｔ、Ｇ２＝１３３ｏｃｔ）を用いて、拘束長７および符号化率１／２のパンクチュアー化パターンに従って、２系統の信号（送信系統１の信号および送信系統２の信号）を生成する。
【００２７】
内符号符号化部１１３により生成された送信系統１の信号は、ビットインタリーブ部１１４−１に出力され、ビットインタリーブ部１１４−１、周波数インタリーブ部１１５−１および時間インタリーブ部１１６−１により各種のインタリーブ処理が行われる。一方、送信系統２の信号は、ビットインタリーブ部１１４−２に出力され、ビットインタリーブ部１１４−２、周波数インタリーブ部１１５−２および時間インタリーブ部１１６−２により、送信系統１とは異なる並び替えパターンに従った各種のインタリーブ処理が施される。このようにして、符号化部１１０により、送信系統１の送信信号Ｘ１および送信系統２の送信信号Ｘ２が出力される。
【００２８】
以下、各種のインタリーブ処理について、前述の非特許文献１に規定された、ＯＦＤＭ信号に対するインタリーブ処理を例にして説明する。
【００２９】
（ビットインタリーブ）
まず、図３に示したビットインタリーブ部１１４−１，１１４−２について説明する。図４は、ビットインタリーブ部１１４−１，１１４−２の構成例１を示すブロック図であり、１６ＱＡＭ信号に対してビットインタリーブを行う構成例を示している。第１ビットインタリーブ部であるビットインタリーブ部１１４−１は、シリアル／パラレル変換部１４１およびビット遅延部１４２−１〜１４２−３を備えている。第２ビットインタリーブ部であるビットインタリーブ部１１４−２は、シリアル／パラレル変換部１４６、ビット信号切替部１４７およびビット遅延部１４８−１〜１４８−３を備えている。
【００３０】
ビットインタリーブ部１１４−１において、シリアル／パラレル変換部１４１は、内符号符号化部１１３により生成された送信系統１のビットストリーム信号（ｂ０，ｂ１，ｂ２，ｂ３，ｂ４，・・・）を入力し、入力した順番に４ビット毎にシリアル／パラレル変換し、第１のビットストリーム信号（ｂ０，ｂ４，・・・）、第２のビットストリーム信号（ｂ１，ｂ５，・・・）、第３のビットストリーム信号（ｂ２，ｂ６，・・・）、第４のビットストリーム信号（ｂ３，ｂ７，・・・）をそれぞれ出力する。なお、ビットストリーム信号は“０”または“１”の２値信号である。
【００３１】
ビット遅延部１４２−１は、シリアル／パラレル変換部１４１から第２のビットストリーム信号（ｂ１，ｂ５，・・・）を入力し、４０ビットの遅延処理を行い、４０ビット遅延した第２のビットストリーム信号を出力する。ビット遅延部１４２−２は、シリアル／パラレル変換部１４１から第３のビットストリーム信号（ｂ２，ｂ６，・・・）を入力し、８０ビットの遅延処理を行い、８０ビット遅延した第３のビットストリーム信号を出力する。ビット遅延部１４２−３は、シリアル／パラレル変換部１４１から第４のビットストリーム信号（ｂ３，ｂ７，・・・）を入力し、１２０ビットの遅延処理を行い、１２０ビット遅延した第４のビットストリーム信号を出力する。
【００３２】
一方、ビットインタリーブ部１１４−２において、シリアル／パラレル変換部１４６は、シリアル／パラレル変換部１４１と同様の処理を行い、内符号符号化部１１３により生成された送信系統２のビットストリーム信号（ｂ０，ｂ１，ｂ２，ｂ３，ｂ４，・・・）を入力し、入力した順番に４ビット毎にシリアル／パラレル変換し、第１のビットストリーム信号（ｂ０，ｂ４，・・・）、第２のビットストリーム信号（ｂ１，ｂ５，・・・）、第３のビットストリーム信号（ｂ２，ｂ６，・・・）、第４のビットストリーム信号（ｂ３，ｂ７，・・・）をそれぞれ出力する。
【００３３】
ビット信号切替部１４７は、シリアル／パラレル変換部１４６から第１〜第４のビットストリーム信号を入力し、ビットストリーム信号単位に切り替えを行い、切り替え後の第１〜第４のビットストリーム信号を出力する。図４では、ビット信号切替部１４７は、入力した第１のビットストリーム信号を第４のビットストリーム信号に切り替え、入力した第２のビットストリーム信号を第３のビットストリーム信号に切り替え、入力した第３のビットストリーム信号を第２のビットストリーム信号に切り替え、入力した第４のビットストリーム信号を第１のビットストリーム信号に切り替える。そして、ビット信号切替部１４７は、第１のビットストリーム信号（ｂ３，ｂ７，・・・）、第２のビットストリーム信号（ｂ２，ｂ６，・・・）、第３のビットストリーム信号（ｂ１，ｂ５，・・・）、第４のビットストリーム信号（ｂ０，ｂ４，・・・）をそれぞれ出力する。
【００３４】
ビット遅延部１４８−１は、ビット信号切替部１４７から第２のビットストリーム信号（ｂ２，ｂ６，・・・）を入力し、４０ビットの遅延処理を行い、４０ビット遅延した第２のビットストリーム信号を出力する。ビット遅延部１４８−２は、ビット信号切替部１４７から第３のビットストリーム信号（ｂ１，ｂ５，・・・）を入力し、８０ビットの遅延処理を行い、８０ビット遅延した第３のビットストリーム信号を出力する。ビット遅延部１４８−３は、ビット信号切替部１４７から第４のビットストリーム信号（ｂ０，ｂ４，・・・）を入力し、１２０ビットの遅延処理を行い、１２０ビット遅延した第４のビットストリーム信号を出力する。
【００３５】
このように、図４に示したビットインタリーブ部１１４−１，１１４−２の構成例１によれば、ビットインタリーブ部１１４−１においてビット遅延部１４２−１〜１４２−３が、第２〜第４のビットストリーム信号に対し、４０ビット、８０ビットおよび１２０ビットの遅延処理をそれぞれ行うようにした。また、ビットインタリーブ部１１４−２においてビット信号切替部１４７が、並列に入力した第１〜第４のビットストリーム信号をビットストリーム信号単位に切り替えて出力し、ビット遅延部１４８−１〜１４８−３が、ビット信号切替部１４７により出力された第２〜第４のビットストリーム信号に対し、４０ビット、８０ビットおよび１２０ビットの遅延処理をそれぞれ行うようにした。これにより、ビットインタリーブ部１１４−１が入力する送信系統１のビットストリーム信号およびビットインタリーブ部１１４−２が入力する送信系統２のビットストリーム信号における同じタイミングのビット信号に対し、異なるビット遅延量のビットインタリーブをそれぞれ行うことができる。つまり、送信系統間において、ビットインタリーブ長が同一のままで、異なる並び替えパターンに従ったビットインタリーブ処理を行うことができ、送信系統間に同時に発生するバースト誤りを効果的に分散させることができる。
【００３６】
図５は、ビットインタリーブ部１１４−１，１１４−２の構成例２を示すブロック図であり、図４と同様に、１６ＱＡＭ信号に対してビットインタリーブを行う構成例を示している。第１ビットインタリーブ部であるビットインタリーブ部１１４−１は、シリアル／パラレル変換部１４１およびビット遅延部１４２−１〜１４２−３を備えている。第２ビットインタリーブ部であるビットインタリーブ部１１４−２は、シリアル／パラレル変換部１４６およびビット遅延部１４９−１〜１４９−３を備えている。
【００３７】
図５に示す構成例２のビットインタリーブ部１１４−１は、図４に示した構成例１のビットインタリーブ部１１４−１と同じ構成であるから、説明を省略する。
【００３８】
ビットインタリーブ部１１４−２において、ビット遅延部１４９−１は、シリアル／パラレル変換部１４６により変換された第１のビットストリーム信号（ｂ０，ｂ４，・・・）を入力し、１２０ビットの遅延処理を行い、１２０ビット遅延した第１のビットストリーム信号を出力する。ビット遅延部１４９−２は、シリアル／パラレル変換部１４６により変換された第２のビットストリーム信号（ｂ１，ｂ５，・・・）を入力し、６０ビットの遅延処理を行い、６０ビット遅延した第２のビットストリーム信号を出力する。ビット遅延部１４９−３は、シリアル／パラレル変換部１４６により変換された第３のビットストリーム信号（ｂ２，ｂ６，・・・）を入力し、２０ビットの遅延処理を行い、２０ビット遅延した第３のビットストリーム信号を出力する。
【００３９】
このように、図５に示したビットインタリーブ部１１４−１，１１４−２の構成例２によれば、図４に示したビット信号切替部１４７のような切り替え処理を行うことなく、ビットインタリーブ部１１４−１が、第２〜第４のビットストリーム信号に対して４０ビット、８０ビット、１２０ビットそれぞれ遅延させ、ビットインタリーブ部１１４−２が、第１〜第３のビットストリーム信号に対して１２０ビット、６０ビット、２０ビットそれぞれ遅延させるようにした。これにより、ビットインタリーブ部１１４−１が入力する送信系統１のビットストリーム信号およびビットインタリーブ部１１４−２が入力する送信系統２のビットストリーム信号における同じタイミングのビット信号に対し、異なるビット遅延量のビットインタリーブをそれぞれ行うことができる。つまり、送信系統間において、ビットインタリーブ長が同一のままで、異なる並び替えパターンに従ったビットインタリーブ処理を行うことができ、送信系統間に同時に発生するバースト誤りを効果的に分散させることができる。
【００４０】
また、図４および図５に示したビットインタリーブ部１１４−１，１１４−２の構成例１，２によれば、ビットインタリーブ部１１４−１における最大ビット遅延量とビットインタリーブ部１１４−２における最大ビット遅延量とを一致させるようにした。すなわち、ビット遅延部１４２−３，１４８−３，１４９−１が、最大ビット遅延量である１２０ビットの遅延処理を行うようにした。これにより、送信系統１のビットインタリーブによる遅延量と送信系統２のビットインタリーブによる遅延量が一致し、受信側の基地局装置２００において、送信系統１，２間の遅延を補正するための回路が不要になる。
【００４１】
（周波数インタリーブ）
次に、図３に示した周波数インタリーブ部１１５−１，１１５−２について説明する。図６は、ＡＲＩＢ  ＳＴＤ  Ｂ−３３に規定された周波数インタリーブにより擬似ランダム系列信号を生成する回路のブロック図である。図６において、Ｄはシフトレジスタであり、それぞれ１ビットの信号が格納される。図６に示す生成回路は、以下の生成多項式（１）を実現することにより、擬似ランダム系列の信号を生成するためのシフトレジスタの値を出力する。
ｇ（ｘ）＝ｘ１１＋ｘ２＋１  ・・・  （１）
なお、ＡＲＩＢ  ＳＴＤ  Ｂ−３３では、この生成回路のシフトレジスタに設定される初期値は“１１１１１１１１１１１”である。つまり、周波数インタリーブ部１１５−１，１１５−２は、図６に示した生成回路により、予めシフトレジスタに設定された初期値を用いて生成多項式を実現し、それによって得られたシフトレジスタの値（擬似ランダム系列の信号）を用いて、周波数インタリーブ前のキャリア位置を周波数インタリーブ後のキャリア位置に変換する。すなわち、図６に示した擬似ランダム系列の信号を生成する回路は、キャリア位置を決定するためのキャリア位置データを生成する。
【００４２】
図７は、周波数インタリーブ部１１５−１，１１５−２の構成例を示すブロック図である。第１周波数インタリーブ部である周波数インタリーブ部１１５−１のシフトレジスタには、初期値として“００１００００００００”が予め設定されており、第２周波数インタリーブ部である周波数インタリーブ部１１５−２のシフトレジスタには、初期値として“１１１１１１１１１１１”が予め設定されている。
【００４３】
周波数インタリーブ部１１５−１は、ビットインタリーブ部１１４−１からビットストリーム信号を入力し、入力したビットストリーム信号を各キャリアに割り当てたときのキャリア数分のデータキャリアに対し、前記初期値が設定された式（１）の生成多項式を実現し、それによって得られたシフトレジスタの値をキャリア位置データとし、そのキャリア位置データを用いてキャリア位置を変換するための周波数インタリーブを行い、キャリア数分のデータキャリアを出力する。
【００４４】
また、周波数インタリーブ部１１５−２は、ビットインタリーブ部１１４−２からビットストリーム信号を入力し、周波数インタリーブ部１１５−１と同様に処理を行うことにより、前記初期値が設定された式（１）の生成多項式を実現し、キャリア位置を変換するための周波数インタリーブを行い、キャリア数分のデータキャリアを出力する。
【００４５】
このように、図７に示した周波数インタリーブ部１１５−１，１１５−２の構成例によれば、周波数インタリーブ部１１５−１，１１５−２のシフトレジスタには異なる初期値が設定され、同じ生成多項式を実現することにより周波数インタリーブを行うようにした。これにより、送信系統１の信号に対して処理を行う周波数インタリーブ部１１５−１および送信系統２の信号に対して処理を行う周波数インタリーブ部１１５−２は、互いに異なる周波数インタリーブを簡単に行うことができる。つまり、送信系統間において、異なる並び替えパターンに従った周波数インタリーブの処理を行うことができ、送信系統間に同時に発生するバースト誤りを効果的に分散させることができる。
【００４６】
なお、周波数インタリーブ部１１５−１，１１５−２は、共に、シフトレジスタに同じ初期値を設定し、周波数インタリーブ部１１５−１が、以下に示す生成多項式（２）を実現することにより周波数インタリーブを行い、周波数インタリーブ部１１５−２が、以下に示す生成多項式（３）を実現することにより周波数インタリーブを行うようにしてもよい。
ｇ（ｘ）＝ｘ１１＋ｘ８＋ｘ５＋ｘ２＋１  ・・・  （２）
ｇ（ｘ）＝ｘ１１＋ｘ７＋ｘ３＋ｘ２＋１  ・・・  （３）
（２）式に示す生成多項式および（３）式に示す生成多項式により、プリファードペアとなる相互相関の低いＰＮ符号系列の信号がそれぞれ生成される。この場合も、周波数インタリーブ部１１５−１，１１５−２は、互いに異なる周波数インタリーブを簡単に行うことができる。つまり、送信系統間で異なる並び替えパターンに従った周波数インタリーブ処理を行うことができ、送信系統間に同時に発生するバースト誤りを効果的に分散させることができる。
【００４７】
（時間インタリーブ）
次に、図３に示した時間インタリーブ部１１６−１，１１６−２について説明する。図８は、時間インタリーブ部１１６−１，１１６−２の構成例を示すブロック図である。第１時間インタリーブ部である時間インタリーブ部１１６−１は、キャリア数分の遅延部からなるシンボル遅延部１６１を備えている。第２時間インタリーブ部である時間インタリーブ部１１６−２は、信号切替部１６６およびキャリア数分の遅延部からなるシンボル遅延部１６７を備えている。時間インタリーブ部１１６−１，１１６−２は、フェージング特性を向上させるため、周波数インタリーブ部１１５−１，１１５−２からキャリア数分（ｎｄ本）のデータキャリア（０，１，・・・，ｎｄ−２，ｎｄ−１）を入力し、時間軸上で分散させる。
【００４８】
時間インタリーブ部１１６−１において、シンボル遅延部１６１は、周波数インタリーブ部１１５−１からキャリア数分（ｎｄ本）のデータキャリア（０，１，・・・，ｎｄ−２，ｎｄ−１）を入力し、それぞれ所定シンボルの遅延処理を行い、キャリア数分のデータキャリアを出力する。具体的には、０番目のデータキャリアに対しＩ×ｍ０シンボルの遅延処理を行い、１番目のデータキャリアに対しＩ×ｍ１シンボルの遅延処理を行い、同様にして、ｎｄ−２番目のデータキャリアに対しＩ×ｍｎｄ−２シンボルの遅延処理を行い、ｎｄ−１番目のデータキャリアに対しＩ×ｍｎｄ−１シンボルの遅延処理を行う。時間インタリーブ長はＩの値により決定され、ｍｉ＝（ｉ×５）ｍｏｄ（ｎｄ）とする。ここで、Ｉは、時間インタリーブの長さを決定するための設定値を示し、Ｉを大きくするほど時間インタリーブの長さが長くなって時間インタリーブの効果が大きくなるが、同時に遅延も大きくなる。ＡＲＩＢ  ＳＴＤ  Ｂ−４３の規格では、Ｉ＝０，１／２，１，２の値が定義されている。
【００４９】
一方、時間インタリーブ部１１６−２において、信号切替部１６６は、周波数インタリーブ部１１５−２からキャリア数分（ｎｄ本）のデータキャリア（０，１，・・・，ｎｄ−２，ｎｄ−１）を入力し、キャリア間でデータキャリアの切り替えを行い、切り替え後のデータキャリアを出力する。図８では、信号切替部１６６は、入力した第０番目のデータキャリアを第ｎｄ−１番目のデータキャリアに切り替え、入力した第１番目のデータキャリアを第ｎｄ−２番目のデータキャリアに切り替え、同様にして、入力した第ｎｄ−２番目のデータキャリアを第１番目のデータキャリアに切り替え、入力した第ｎｄ−１番目のデータキャリアを第０番目のデータキャリアに切り替え、データキャリア（ｎｄ−１，ｎｄ−２，・・・，１，０）をそれぞれ出力する。シンボル遅延部１６７は、信号切替部１６６から切り替え後のデータキャリアを入力し、シンボル遅延部１６１と同様のシンボル遅延処理を行う。なお、信号切替部１６６は、シンボル遅延部１６１，１６７において、同じキャリア番号のデータキャリアに対して同じシンボル遅延処理が行われないように、異なるキャリア番号のデータキャリアに切り替える。すなわち、時間インタリーブ部１１６−２の信号切替部１６６は、シンボル遅延部１６７による各データキャリアに対するシンボル遅延のシンボルバッファ量がシンボル遅延部１６１による同じデータキャリアに対するシンボル遅延のシンボルバッファ量に重ならないように、データキャリアを切り替える。
【００５０】
このように、図８に示した時間インタリーブ部１１６−１，１１６−２の構成例によれば、時間インタリーブ部１１６−１においてシンボル遅延部１６１が、入力したデータキャリアに対してシンボル遅延処理をそれぞれ行うようにし、時間インタリーブ部１１６−２において信号切替部１６６が、入力したデータキャリアをキャリア間で切り替えて出力し、シンボル遅延部１６７が、信号切替部１６６により切り替えられたデータキャリアに対してシンボル遅延処理をそれぞれ行うようにした。これにより、時間インタリーブ部１１６−１が入力するデータキャリアおよび時間インタリーブ部１１６−２が入力するデータキャリアにおける同じキャリア番号のデータキャリアに対し、異なるシンボル遅延量で時間インタリーブをそれぞれ行うことができる。つまり、送信系統間において、時間インタリーブ長は同一のままで、異なる並び替えパターンに従った時間インタリーブ処理を行うことができ、送信系統間に同時に発生するバースト誤りを効果的に分散させることができる。
【００５１】
〔基地局装置〕
次に、図１に示した基地局装置２００について説明する。図９は、基地局装置２００の構成例を示すブロック図である。この基地局装置２００は、４本の受信アンテナ２０１、４系統の局部発信機およびミキサ（図示せず）、４系統のＯＦＤＭ信号復調部２１０、ＭＩＭＯ復調部２２０、デインタリーブ部２３０および誤り訂正復号部２４０を備えている。
【００５２】
４本の受信アンテナ２０１は、各送信アンテナ１０１と各受信アンテナ２０１との間の伝搬路を経由して同一周波数上で混信したＯＦＤＭ信号を受信する。４系統の局部発信機およびミキサ（図示せず）は、受信したＯＦＤＭ信号の周波数変換を行う。
【００５３】
４系統のＯＦＤＭ信号復調部２１０は、局部発信機およびミキサにより周波数変換されたＯＦＤＭ信号に対し、ガード相関によるシンボル同期、ＧＩ信号除去、ＦＦＴ処理、フレーム分離、伝搬路応答推定などを行う。そして、４系統のＯＦＤＭ信号復調部２１０は、シンボル同期などの処理後のデータ、および伝搬路推定した結果（伝搬路応答推定結果）をＭＩＭＯ復調部２２０に出力する。
【００５４】
ＭＩＭＯ復調部２２０は、４系統のＯＦＤＭ信号復調部２１０からデータおよび伝搬路応答推定結果をそれぞれ入力し、４系統のデータおよび伝搬路応答推定結果を用いて、後段の誤り訂正復号部２４０における処理のために、混信して受信されたデータの分離および復調を行う。ＭＩＭＯ復調部２２０は、誤り訂正復号部２４０において硬判定復号を行う場合、硬判定結果として生成したＯＦＤＭ信号の復調信号（送信信号Ｘ１，Ｘ２）を出力し、軟判定復号を行う場合、軟判定結果として生成した誤り訂正復号に用いるメトリックを出力する。
【００５５】
デインタリーブ部２３０は、ＭＩＭＯ復調部２２０によりＭＩＭＯ復調された信号（復調信号またはメトリック）を入力し、その信号に対してデインタリーブ処理を行う。誤り訂正復号部２４０は、デインタリーブ部２３０によりデインタリーブ処理された信号に対し、ビタビ復号などの誤り訂正復号を行う。このようにして、基地局装置２００は、端末装置１００により送信されたＯＦＤＭ信号を受信し、元の映像信号に復元する。
【００５６】
（デインタリーブ部）
次に、図９に示したデインタリーブ部２３０について説明する。図１０は、デインタリーブ部２３０の構成例を示すブロック図である。このデインタリーブ部２３０は、時間デインタリーブ（第１時間デインタリーブ）部２３１−１、時間デインタリーブ（第２時間デインタリーブ）部２３１−２、周波数デインタリーブ（第１周波数デインタリーブ）部２３２−１、周波数デインタリーブ（第２周波数デインタリーブ）部２３２−２、ビットデインタリーブ（第１ビットデインタリーブ）部２３３−１、ビットデインタリーブ（第２ビットデインタリーブ）部２３３−２を備えている。
【００５７】
デインタリーブ部２３０は、ＭＩＭＯ復調部２２０により復調されたＯＦＤＭ信号の復調信号または誤り訂正復号に用いるメトリック（送信信号Ｘ１および送信信号Ｘ２の復調信号またはメトリック）を入力し、図３に示した端末装置１００の符号化部１１０におけるビットインタリーブ部１１４−１，１１４−２、周波数インタリーブ部１１５−１，１１５−２および時間インタリーブ部１１６−１，１１６−２が行ったインタリーブの逆の処理（時間デインタリーブ、周波数デインタリーブおよびビットデインタリーブの処理）を行う。
【００５８】
（時間デインタリーブ）
まず、図１０に示した時間デインタリーブ部２３１−１，２３１−２について説明する。図１１は、時間デインタリーブ部２３１−１，２３１−２の構成例を示すブロック図であり、図８に示した時間インタリーブ部１１６−１，１１６−２に対応している。第１時間デインタリーブ部である時間デインタリーブ部２３１−１は、キャリア数分の遅延部からなるシンボル遅延部２５１を備えている。第２時間デインタリーブ部である時間デインタリーブ部２３１−２は、キャリア数分の遅延部からなるシンボル遅延部２５６および信号切替部２５７を備えている。
【００５９】
時間デインタリーブ部２３１−１において、シンボル遅延部２５１は、ＭＩＭＯ復調部２２０からキャリア数分（ｎｄ本）の送信信号Ｘ１の復調信号／データキャリア（０,１，・・・，ｎｄ−２，ｎｄ−１）を入力し、それぞれ所定シンボルの遅延処理を行い、キャリア数分のデータキャリアを出力する。具体的には、０番目のデータキャリアに対し（Ｉ×６７２−ｍ０×Ｉ）シンボルの遅延処理を行い、１番目のデータキャリアに対し（Ｉ×６７２−ｍ１×Ｉ）シンボルの遅延処理を行い、同様にして、ｎｄ−２番目のデータキャリアに対し（Ｉ×６７２−ｍｎｄ−２×Ｉ）シンボルの遅延処理を行い、ｎｄ−１番目のデータキャリアに対し（Ｉ×６７２−ｍｎｄ−１×Ｉ）シンボルの遅延処理を行う。すなわち、各データキャリアに対し（Ｉ×６７２−ｍｋ×Ｉ）シンボルの遅延処理を行う。ここで、ｋ＝０，・・・，ｎｄ−２，ｎｄ−１である。
【００６０】
一方、時間デインタリーブ部２３１−２において、シンボル遅延部２５６は、ＭＩＭＯ復調部２２０からキャリア数分（ｎｄ本）の送信信号Ｘ２の復調信号／データキャリア（ｎｄ−１，ｎｄ−２，・・・，１，０）を入力し、シンボル遅延部２５１と同様のシンボル遅延処理を行う。信号切替部２５７は、シンボル遅延部２５６からキャリア数分のデータキャリアを入力し、図８に示した信号切替部１６６がデータキャリアを切り替えたときの逆の順番で各データキャリアの切り替えを行って（信号切替部１６６による切り替え処理とは逆の処理を行う並び替えパターンに従った切り替えを行って）、信号切替部１６６が切り替える前の状態に戻す。図１１では、信号切替部２５７は、入力したデータキャリアを元の順番のデータキャリア（０，１，・・・，ｎｄ−２，ｎｄ−１）に切り替えて出力する。
【００６１】
このように、図１１に示した時間デインタリーブ部２３１−１，２３１−２の構成例によれば、時間デインタリーブ部２３１−１においてシンボル遅延部２５１が、入力したデータキャリアに対してシンボル遅延処理をそれぞれ行うようにし、時間デインタリーブ部２３１−２においてシンボル遅延部２５６が、入力したデータキャリアに対してシンボル遅延処理をそれぞれ行い、信号切替部２５７が、シンボル遅延部２５６により遅延されたデータキャリアを、端末装置１００における信号切替部１６６の逆の切り替え処理を行うようにキャリア間で切り替えるようにした。これにより、時間デインタリーブ部２３１−１，２３１−２が入力するデータキャリアを、端末装置１００における符号化部１１０の時間インタリーブ部１１６−１，１１６−２が処理を行う前の状態に戻すことができる。つまり、端末装置１００が時間インタリーブによって生成した、送信系統間に同時に発生するバースト誤りを効果的に分散させることが可能な信号を、基地局装置２００において元の状態に戻すことができる。
【００６２】
（周波数デインタリーブ）
次に、図１０に示した周波数デインタリーブ部２３２−１，２３２−２について説明する。図１２は、周波数デインタリーブ部２３２−１，２３２−２の構成例を示すブロック図であり、図７に示した周波数インタリーブ部１１５−１，１１５−２に対応している。第１周波数デインタリーブ部である周波数デインタリーブ部２３２−１は、Ｔｘ１初期値記録用メモリ２６１および周波数デインタリーブ用メモリ２６２を備えている。第２周波数デインタリーブ部である周波数デインタリーブ部２３２−２は、Ｔｘ２初期値記録用メモリ２６６および周波数デインタリーブ用メモリ２６７を備えている。
【００６３】
周波数デインタリーブ部２３２−１において、Ｔｘ１初期値記録用メモリ２６１には、図７に示した周波数インタリーブ部１１５−１によりシフトレジスタに予め設定された初期値“００１００００００００”と同じ初期値が予め記録されている。周波数デインタリーブ用メモリ２６２は、Ｔｘ１初期値記録用メモリ２６１から初期値を入力し、図６に示した擬似ランダム系列の信号を生成する回路による処理とは逆の処理を行い、周波数インタリーブ後のキャリア位置を周波数インタリーブ前のキャリア位置に変換するためのキャリア位置データを生成する。そして、周波数デインタリーブ用メモリ２６２は、時間デインタリーブ部２３１−１からキャリア数分のデータキャリアを入力し、データキャリアをメモリに記録し、生成したキャリア位置データを用いてキャリア位置を変換し周波数デインタリーブを行い、キャリア数分のデータキャリアを出力する。すなわち、周波数デインタリーブ部２３２−１は、図７に示した周波数インタリーブ部１１５−１とは逆の並び替えパターンに従った周波数インタリーブ処理を行う。
【００６４】
一方、周波数デインタリーブ部２３２−２において、Ｔｘ２初期値記録用メモリ２６６には、図７に示した周波数インタリーブ部１１５−２によりシフトレジスタに予め設定された初期値“１１１１１１１１１１１”と同じ初期値が予め記録されている。周波数デインタリーブ用メモリ２６７は、Ｔｘ２初期値記録用メモリ２６６から初期値を入力し、周波数デインタリーブ用メモリ２６２と同様に処理を行うことにより、周波数インタリーブ後のキャリア位置を周波数インタリーブ前のキャリア位置に変換するためのキャリア位置データを生成する。そして、周波数デインタリーブ用メモリ２６７は、時間デインタリーブ部２３１−２からキャリア数分のデータキャリアを入力し、データキャリアをメモリに記録し、生成したキャリア位置データを用いてキャリア位置を変換し周波数デインタリーブを行い、キャリア数分のデータキャリアを出力する。すなわち、周波数デインタリーブ部２３２−２は、図７に示した周波数インタリーブ部１１５−２とは逆の並び替えパターンに従った周波数インタリーブ処理を行う。
【００６５】
このように、図１２に示した周波数デインタリーブ部２３２−１，２３２−２の構成例によれば、周波数デインタリーブ部２３２−１のＴｘ１初期値記録用メモリ２６１には、周波数インタリーブ部１１５−１のレジスタに設定された初期値と同じ初期値が予め記録され、周波数デインタリーブ部２３２−２のＴｘ２初期値記録用メモリ２６６には周波数インタリーブ部１１５−２のレジスタに設定された初期値と同じ初期値が予め記録される。そして、周波数デインタリーブ部２３２−１の周波数デインタリーブ用メモリ２６２は、Ｔｘ１初期値記録用メモリ２６１に記録された初期値を用いて周波数インタリーブ部１１５−１による逆の処理を行い、周波数デインタリーブ部２３２−２の周波数デインタリーブ用メモリ２６７は、Ｔｘ２初期値記録用メモリ２６６に記録された初期値を用いて周波数インタリーブ部１１５−２による逆の処理を行うことにより、それぞれ周波数デインタリーブを行うようにした。これにより、周波数デインタリーブ部２３２−１，２３２−２が入力するデータキャリアを、端末装置１００における符号化部１１０の周波数インタリーブ部１１５−１，１１５−２が処理を行う前の状態に戻すことができる。つまり、端末装置１００が周波数インタリーブによって生成した、送信系統間に同時に発生するバースト誤りを効果的に分散させることが可能な信号を、基地局装置２００において元の状態に戻すことができる。
【００６６】
（ビットデインタリーブ）
次に、図１０に示したビットデインタリーブ部２３３−１，２３３−２について説明する。図１３は、ビットデインタリーブ部２３３−１，２３３−２の構成例１を示すブロック図であり、図４に示したビットインタリーブ部１１４−１，１１４−２に対応している。第１ビットデインタリーブ部であるビットデインタリーブ部２３３−１は、シリアル／パラレル変換部２７１、ビット遅延部２７２−１〜２７２−３およびパラレル／シリアル変換部２７３を備えている。第２ビットデインタリーブ部であるビットデインタリーブ部２３３−２は、シリアル／パラレル変換部２７６、ビット遅延部２７７−１〜２７７−３、ビット信号切替部２７８およびパラレル／シリアル変換部２７９を備えている。
【００６７】
ビットデインタリーブ部２３３−１において、シリアル／パラレル変換部２７１は、周波数デインタリーブ部２３２−１により出力されたデータキャリアのビットストリーム信号を入力し、入力した順番に４ビット毎にシリアル／パラレル変換し、第１〜第４のビットストリームをそれぞれ出力する。この処理は、図４に示したシリアル／パラレル変換部１４１の処理と同様である。
【００６８】
ビット遅延部２７２−１〜２７２−３は、シリアル／パラレル変換部２７１から第１〜第３のビットストリーム信号をそれぞれ入力し、１２０ビット、８０ビットおよび４０ビットの遅延処理をそれぞれ行い、遅延した第１〜第３のビットストリーム信号をそれぞれ出力する。
【００６９】
パラレル／シリアル変換部２７３は、ビット遅延部２７２−１〜２７２−３から遅延した第１〜第３のビットストリーム信号をそれぞれ入力すると共に、シリアル／パラレル変換部２７１から第４のビットストリーム信号を入力し、パラレル／シリアル変換し、シリアルのビットストリーム信号を出力する。
【００７０】
一方、ビットデインタリーブ部２３３−２において、シリアル／パラレル変換部２７６は、周波数デインタリーブ部２３２−２により出力されたデータキャリアのビットストリーム信号を入力し、入力した順番に４ビット毎にシリアル／パラレル変換し、第１〜第４のビットストリームをそれぞれ出力する。この処理は、図４に示したシリアル／パラレル変換部１４６の処理と同様である。
【００７１】
ビット遅延部２７７−１〜２７７−３は、シリアル／パラレル変換部２７６から第１〜第３のビットストリーム信号をそれぞれ入力し、１２０ビット、８０ビットおよび４０ビットの遅延処理をそれぞれ行い、遅延した第１〜第３のビットストリーム信号をそれぞれ出力する。
【００７２】
ビット信号切替部２７８は、ビット遅延部２７７−１〜２７７−３から遅延した第１〜第３のビットストリーム信号をそれぞれ入力すると共に、シリアル／パラレル変換部２７６から第４のビットストリーム信号を入力し、図４に示したビット信号切替部１４７がビットストリーム信号を切り替えたときの逆の順番で切り替えを行って（ビット信号切替部１４７による切り替え処理とは逆の処理を行う並び替えパターンに従った切り替えを行って）、ビット信号切替部１４７が切り替える前の状態に戻す。
【００７３】
パラレル／シリアル変換部２７９は、ビット信号切替部２７８から切り替え後の第１〜第４のビットストリーム信号をそれぞれ入力し、パラレル／シリアル変換し、シリアルのビットストリーム信号を出力する。
【００７４】
このように、図１３に示したビットデインタリーブ部２３３−１，２３３−２の構成例１によれば、ビットデインタリーブ部２３３−１においてビット遅延部２７２−１〜２７２−３が、第１〜第３のビットストリーム信号に対し、１２０ビット、８０ビットおよび４０ビットの遅延処理をそれぞれ行うようにした。また、ビットデインタリーブ部２３３−２において、ビット遅延部２７７−１〜２７７−３が、第１〜第３のビットストリーム信号に対し、１２０ビット、８０ビットおよび４０ビットの遅延処理をそれぞれ行い、ビット信号切替部２７８が、ビット遅延部２７７−１〜２７７−３により遅延された第１〜第３のビットストリーム信号およびシリアル／パラレル変換部２７６により出力された第４のビットストリーム信号を、端末装置１００におけるビット信号切替部１４７の逆の切り替え処理を行うようにビットストリーム信号単位に切り替えるようにした。これにより、ビットデインタリーブ部２３３−１，２３３−２が入力するビットストリーム信号を、端末装置１００における符号化部１１０のビットインタリーブ部１１４−１，１１４−２が処理を行う前の状態に戻すことができる。つまり、端末装置１００がビットインタリーブによって生成した、送信系統間に同時に発生するバースト誤りを効果的に分散させることが可能な信号を、基地局装置２００において元の状態に戻すことができる。
【００７５】
図１４は、ビットデインタリーブ部２３３−１，２３３−２の構成例２を示すブロック図であり、図５に示したビットインタリーブ部１１４−１，１１４−２に対応している。第１ビットデインタリーブ部であるビットデインタリーブ部２３３−１は、シリアル／パラレル変換部２７１、ビット遅延部２７２−１〜２７２−３およびパラレル／シリアル変換部２７３を備えている。第２ビットデインタリーブ部であるビットデインタリーブ部２３３−２は、シリアル／パラレル変換部２７６、ビット遅延部２７５−１〜２７５−３およびパラレル／シリアル変換部２７９を備えている。
【００７６】
図１４に示す構成例２のビットデインタリーブ部２３３−１は、図１３に示した構成例１のビットデインタリーブ部２３３−１と同じ構成であるから、説明を省略する。
【００７７】
ビットデインタリーブ部２３３−２において、シリアル／パラレル変換部２７６は、周波数デインタリーブ部２３２−２により出力されたデータキャリアのビットストリーム信号を入力し、入力した順番に４ビット毎にシリアル／パラレル変換し、第１〜第４のビットストリームをそれぞれ出力する。
【００７８】
ビット遅延部２７５−１〜２７５−３は、シリアル／パラレル変換部２７６から第２〜第４のビットストリーム信号をそれぞれ入力し、６０ビット、１００ビットおよび１２０ビットの遅延処理をそれぞれ行い、遅延した第２〜第４のビットストリーム信号をそれぞれ出力する。
【００７９】
パラレル／シリアル変換部２７９は、シリアル／パラレル変換部２７６から第１のビットストリーム信号を入力すると共に、ビット遅延部２７５−１〜２７５−３から遅延した第２〜第４のビットストリーム信号をそれぞれ入力し、パラレル／シリアル変換し、シリアルのビットストリーム信号を出力する。
【００８０】
このように、図１４に示したビットデインタリーブ部２３３−１，２３３−２の構成例２によれば、図１３に示したビット信号切替部２７８のような切り替え処理を行うことなく、ビットデインタリーブ部２３３−１が、第１〜第３のビットストリーム信号に対して１２０ビット、８０ビットおよび４０ビットそれぞれ遅延させ、ビットデインタリーブ部２３３−２が、第２〜第４のビットストリーム信号に対して６０ビット、１００ビットおよび１２０ビットそれぞれ遅延させるようにした。これにより、ビットデインタリーブ部２３３−１，２３３−２が入力するビットストリーム信号を、端末装置１００における符号化部１１０のビットインタリーブ部１１４−１，１１４−２が処理を行う前の状態に戻すことができる。つまり、端末装置１００がビットインタリーブによって生成した、送信系統間に同時に発生するバースト誤りを効果的に分散させることが可能な信号を、基地局装置２００において元の状態に戻すことができる。
【００８１】
（ＭＩＭＯ復調部／メトリック生成）
ここで、図９に示した誤り訂正復号部２４０が軟判定復号を行う場合、ＭＩＭＯ復調部２２０において、誤り訂正復号に用いるメトリックを生成する処理について詳細に説明する。図１５は、ＭＩＭＯ復調部２２０がメトリックを生成する場合の構成例を示すブロック図である。図１６は、図１５に示すＭＩＭＯ復調部２２０の処理を説明するフロー図である。なお、ここに説明するメトリック生成手法は例示であり、本発明はこの手法に限定されるものではない。
【００８２】
このＭＩＭＯ復調部２２０は、ＱＲ分解部２２０１、全変調候補点記録部２２０２、ｘ１候補点生成およびｘ２誤差距離演算部２２０３、候補点ｘ１’誤差距離演算部２２０４、誤差距離合成部２２０５、メモリ部２２０６、ビタビブランチメトリック算出部２２０７および系統別メトリック生成部２２０８を備えている。
【００８３】
ＱＲ分解部２２０１は、伝搬路推定結果を入力し、ＱＲ分解を行い、行列Ｑおよび行列Ｒを算出する（ステップＳ１）。伝搬路推定結果である伝搬路行列Ｈを以下に示す。
【数１】
2010147630.tif 000003
ここで、伝搬路行列Ｈの要素ｈｉｊは、送信アンテナｊから受信アンテナｉへの伝搬路の周波数応答特性を示す。以下の式によりＱＲ分解を行い、直交行列Ｑおよび上三角行列Ｒを算出する。
Ｈ＝Ｑ・Ｒ    （Ｑ：直交行列，Ｒ：上三角行列）    ・・・（２）
【００８４】
ｘ１候補点生成およびｘ２誤差距離演算部２２０３は、ＱＲ分解部２２０１により算出された行列Ｑおよび行列Ｒを入力し、送信信号ｘ２を全候補点Ｓとみなして送信信号ｘ１の全候補点ｘ１’を演算し、また、送信信号ｘ２の復調信号と全候補点Ｓとの間の誤差距離Δ２を演算する（ステップＳ２〜ステップＳ４）。ここで、第１の送信アンテナ＃１から送信される信号を送信信号ｘ１とし、第２の送信アンテナ＃２から送信される信号を送信信号ｘ２とする。以下、送信信号ｘ１の全候補点ｘ１’および送信信号ｘ２の誤差距離Δ２の演算手法について説明する。
【００８５】
行列Ｑは直交行列であるから、送信信号Ｘと受信信号Ｙとの間の関係は以下の通りとなる。
Ｙ＝ＨＸ＝（Ｑ・Ｒ）Ｘ
ＱＨＹ＝｛（ＱＨ・Ｑ）・Ｒ｝Ｘ＝ＲＸ    ・・・（３）
ここで、受信アンテナ＃１〜＃４で受信する受信信号をＹ＝［ｙ１，ｙ２，ｙ３，ｙ４］Ｔ（Ｔは転置を表す。）とし、送信アンテナ＃１，＃２から送信される送信信号をＸ＝［ｘ１，ｘ２］Ｔとする。
【００８６】
行列Ｒは上三角行列であるから、式（３）を以下の式で表すことができる。
【数２】
2010147630.tif 000004
ここで、行列Ｒの要素は複素数である。ｘ１候補点生成およびｘ２誤差距離演算部２２０３は、式（４）および全変調候補点記録部２２０２に記録された全変調候補点Ｓを用いて、送信信号ｘ１の全候補点ｘ１’および送信信号ｘ２の誤差距離Δ２を、以下の式により算出する。
【数３】
2010147630.tif 000005
ここで、全変調候補点Ｓは、例えば１６ＱＡＭの変調方式におけるコンスタレーションで示される全ての点のことをいう。図１７は、電波産業会（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）で定められるテレビ番組素材伝送用の無線素材伝送システムの規格（ＡＲＩＢ  ＳＴＤ−Ｂ３３）に準拠した場合の、１６ＱＡＭで表される送信信号の配置を示す図である。このコンスタレーション配置は、１６ＱＡＭの変調方式における送信信号ｘ１，ｘ２のとり得る配置を示している。
【００８７】
式（５）において、送信信号ｘ１の全候補点ｘ１’は、式（４）の送信信号ｘ２に全変調候補点Ｓを代入して得られた１６点の値である。また、送信信号ｘ２の誤差距離Δ２は、式（４）により求められるｘ２（＝ｙ２’／Ｒ２２）と、送信信号ｘ２の全変調候補点Ｓとの間における１６点の距離の値となる。
【００８８】
候補点ｘ１’誤差距離演算部２２０４は、ｘ１候補点生成およびｘ２誤差距離演算部２２０３により算出された送信信号ｘ１の全候補点ｘ１’を入力し、この送信信号ｘ１の全候補点ｘ１’と、この候補点ｘ１’の表す４ビット信号の順序に従って各ビットで定められた基準点との間の誤差距離（送信信号ｘ１の誤差距離Δ１）を算出する（ステップＳ５）。具体的には、候補点ｘ１’誤差距離演算部２２０４は、送信信号ｘ１の全候補点ｘ１’を表す４ビット信号の各ビットの信号点と、“０”の値をとる場合および“１”の値をとる場合のそれぞれに定めた基準点との誤差距離を、以下の式により算出する。ただし、以下の式では、ＡＲＩＢ  ＳＴＤ−Ｂ３３において定義される受信信号の振幅Ｚ（＝√１０）による除算は省略してある。
【００８９】
（Ａ）送信信号ｘ１の全候補点ｘ１’を表す４ビット信号のうちの１ビット目の信号点と基準点との間の誤差距離
dist_x1_10＝abs（abs（Re（x1’）-2）-1）  (1ビット目”0”を基準)・・・（６）
dist_x1_11＝abs（abs（Re（x1’）+2）-1）  (1ビット目”1”を基準)・・・（７）
（Ｂ）送信信号ｘ１の全候補点ｘ１’を表す４ビット信号のうちの２ビット目の信号点と基準点との間の誤差距離
dist_x1_20＝abs（abs（Im（x1’）-2）-1）  (2ビット目”0”を基準)・・・（８）
dist_x1_21＝abs（abs（Im（x1’）+2）-1）  (2ビット目”1”を基準)・・・（９）
（Ｃ）送信信号ｘ１の全候補点ｘ１’を表す４ビット信号のうちの３ビット目の信号点と基準点との間の誤差距離
dist_x1_30＝abs（abs（Re（x1’））-3）  (3ビット目”0”を基準)・・・（１０）
dist_x1_31＝abs（abs（Re（x1’））-1）  (3ビット目”1”を基準)・・・（１１）
（Ｄ）送信信号ｘ１の全候補点ｘ１’を表す４ビット信号のうちの４ビット目の信号点と基準点との間の誤差距離
dist_x1_40＝abs（abs（Im（x1’））-3）  (4ビット目”0”を基準)・・・（１２）
dist_x1_41＝abs（abs（Im（x1’））-1）  (4ビット目”1”を基準)・・・（１３）
ここで、Ｒｅは実数部、Ｉｍは虚数部、ａｂｓは絶対値をそれぞれ示し、各式において、それぞれ１６個の誤差距離が算出される。
【００９０】
図１８は、コンスタレーション配置において、１６ＱＡＭで表される４ビット信号の分布を示す図である。ここで、横軸は実数（ｒｅａｌ）または同相成分を表し、縦軸は虚数（ｉｍａｇ）または直交成分を表す。図１８に示すように、ｘ１＿１０は１ビット目が“０”のときの領域、ｘ１＿１１は１ビット目が“１”のときの領域、ｘ１＿２０は２ビット目が“０”のときの領域、ｘ１＿２１は２ビット目が“１”のときの領域、ｘ１＿３０は３ビット目が“０”のときの領域、ｘ１＿３１は３ビット目が“１”のときの領域、ｘ１＿４０は４ビット目が“０”のときの領域、ｘ１＿４１は４ビット目が“１”のときの領域である。
【００９１】
送信信号ｘ１の全候補点ｘ１’を表す４ビット信号のうちの１ビット目について、それが“０”であるか“１”であるかは、送信信号ｘ１の全候補点ｘ１’における実数部の値が正であるか負であるかにより決定される。式（６）の誤差距離は、１ビット目“０”を基準にしたものであり、その実数部が１または３であるから、基準点を（２＋０ｊ）として算出される。一方、式（７）の誤差距離は、１ビット目“１”を基準にしたものであり、その実数部が−１または−３であるから、基準点を（−２＋０ｊ）として算出される。
【００９２】
また、送信信号ｘ１の全候補点ｘ１’を表す４ビット信号のうちの２ビット目について、それが“０”であるか“１”であるかは、送信信号ｘ１の全候補点ｘ１’における虚数部の値が正であるか負であるかにより決定される。式（８）の誤差距離は、２ビット目“０”を基準にしたものであり、基準点を（０＋２ｊ）として算出される。一方、式（９）の誤差距離は、２ビット目“１”を基準にしたものであり、基準点を（０−２ｊ）として算出される。
【００９３】
また、送信信号ｘ１の全候補点ｘ１’を表す４ビット信号のうちの３ビット目について、式（１０）の誤差距離は、３ビット目“０”を基準にしたものであり、基準点を（３＋０ｊ）または（−３＋０ｊ）として算出される。一方、式（１１）の誤差距離は、３ビット目“１”を基準にしたものであり、基準点を（１＋０ｊ）または（−１＋０ｊ）として算出される。
【００９４】
また、送信信号ｘ１の全候補点ｘ１’を表す４ビット信号のうちの４ビット目について、式（１２）の誤差距離は、４ビット目“０”を基準にしたものであり、基準点を（０＋３ｊ）または（０−３ｊ）として算出される。一方、式（１３）の誤差距離は、４ビット目“１”を基準にしたものであり、基準点を（０＋１ｊ）または（０−１ｊ）として算出される誤差距離である。
【００９５】
誤差距離合成部２２０５は、ｘ１候補点生成およびｘ２誤差距離演算部２２０３により算出された送信信号ｘ２の誤差距離Δ２（１６個）を入力し、候補点ｘ１’誤差距離演算部２２０４により算出された送信信号ｘ１の誤差距離Δ１（１６×８＝１２８個）を入力し、送信信号ｘ２の誤差距離Δ２と、それに対応する（その誤差の１６個の信号点に対応する）送信信号ｘ１の誤差距離Δ１とを足し合わせ、送信信号ｘ１および送信信号ｘ２の合成誤差距離Δ１２を、ビットの状態毎に以下のように算出する（ステップＳ６）。
（Ａ）１ビット目の合成誤差距離
Δ１２_x1_10＝dist_x1_10＋Δ２  ・・・（１４）
Δ１２_x1_11＝dist_x1_11＋Δ２  ・・・（１５）
（Ｂ）２ビット目の合成誤差距離
Δ１２_x1_20＝dist_x1_20＋Δ２  ・・・（１６）
Δ１２_x1_21＝dist_x1_21＋Δ２  ・・・（１７）
（Ｃ）３ビット目の合成誤差距離
Δ１２_x1_30＝dist_x1_30＋Δ２  ・・・（１８）
Δ１２_x1_31＝dist_x1_31＋Δ２  ・・・（１９）
（Ｄ）４ビット目の合成誤差距離
Δ１２_x1_40＝dist_x1_40＋Δ２  ・・・（２０）
Δ１２_x1_41＝dist_x1_41＋Δ２  ・・・（２１）
【００９６】
メモリ部２２０６は、誤差距離合成部２２０５により合成された送信信号ｘ１および送信信号ｘ２の合成誤差距離Δ１２を、所定のデータ量分一時的に記録する（図１６の処理フローではこのステップは省略してある。）。
【００９７】
ビタビブランチメトリック算出部２２０７は、メモリ部２２０６に記録されたビットの状態毎の合成誤差距離（１６×８＝１２８個）を入力し、各ビットにおいて、送信信号ｘ１の候補点ｘ１’および送信信号ｘ２の候補点ｘ２’がとり得る４つのパターン（ｘ１，ｘ２）＝（０，０），（０，１），（１，０），（１，１）について、該当する合成誤差距離群を選択し、その中から最小値をとる合成誤差距離を選択し、それを各パターンのメトリックとして出力する（ステップＳ７）。
【００９８】
そして、系統別メトリック生成部２２０８は、ビタビブランチメトリック算出部２２０７から４つのパターン（ｘ１，ｘ２）＝（０，０），（０，１），（１，０），（１，１）を入力し、送信系統１における“０”および“１”の２つのパターンのメトリック（データが“０”になる場合および“１”になる場合のメトリック）を生成して出力する。具体的には、系統別メトリック生成部２２０８は、（ｘ１，ｘ２）＝（０，０），（０，１）のうちの小さい方のデータを、送信系統１における“０”のパターンのデータとし、（ｘ１，ｘ２）＝（１，０），（１，１）のうちの小さい方のデータを、送信系統１における“１”のパターンのデータとし、これらを送信系統１における２つのパターンのメトリックとして出力する。また、系統別メトリック生成部２２０８は、（ｘ１，ｘ２）＝（０，０），（１，０）のうちの小さい方のデータを、送信系統２における“０”のパターンのデータとし、（ｘ１，ｘ２）＝（０，１），（１，１）のうちの小さい方のデータを、送信系統２における“１”のパターンのデータとし、これらを送信系統２における２つのパターンのメトリックとして出力する。このように、ＭＩＭＯ復調部２２０は、誤り訂正復号部２４０が軟判定復号を行う場合、復調によって生成した誤り訂正復号に用いるメトリックを、送信系統毎に出力する。
【００９９】
（デインタリーブ部／メトリック入力）
図１０を参照して、デインタリーブ部２３０の時間デインタリーブ部２３１−１は、ＭＩＭＯ復調部２２０から送信系統１における“０”および“１”の２つのパターンのメトリックを入力し、送信信号Ｘ１の復調信号を入力したときと同じ時間インタリーブ処理を、入力したメトリックに対して行う。また、時間デインタリーブ部２３１−２は、ＭＩＭＯ復調部２２０から送信系統２における０”および“１”の２つのパターンのメトリックを入力し、送信信号Ｘ２の復調信号を入力したときと同じ時間インタリーブ処理を、入力したメトリックに対して行う。周波数デインタリーブ部２３２−１，２３２−２およびビットデインタリーブ部２３３−１，２３３−２も同様に、入力したメトリックに対してデインタリーブの処理を行う。このように、デインタリーブ部２３０は、誤り訂正復号部２４０が軟判定復号を行う場合、ＭＩＭＯ復調部２２０から送信系統１，２のメトリックをそれぞれ入力し、デインタリーブの処理を行い、誤り訂正復号部２４０に出力する。そして、誤り訂正復号部２４０は、デインタリーブ部２３０から送信系統１，２のメトリックをそれぞれ入力し、軟判定ビタビ復号による誤り訂正復号を行う。
【０１００】
以上のように、本発明の実施形態による端末装置１００および基地局装置２００によれば、端末装置１００における符号化部１１０のビットインタリーブ部１１４−１，１１４−２、周波数インタリーブ部１１５−１，１１５−２および時間インタリーブ部１１６−１，１１６−２は、送信系統間で異なる並び替えパターンに従ってインタリーブ処理を行うようにした。また、基地局装置２００におけるデインタリーブ部２３０の時間デインタリーブ部２３１−１，２３１−２、周波数デインタリーブ部２３２−１，２３２−２およびビットデインタリーブ部２３３−１，２３３−２は、それぞれのインタリーブ処理に対応した並び替えパターンに従ってデインタリーブ処理を行い、信号を元の状態に戻すようにした。これにより、同時に発生するバースト誤りを効果的に分散させることができる。したがって、バースト誤りに対して、同じ送信系統内においてその誤りを分散させると共に、送信系統間においても、その誤りを分散させることができるから、誤り訂正復号による誤り訂正の効果を一層充分に得ることが可能となる。
【０１０１】
前記デインタリーブ部２３０によって各種のデインタリーブ処理された復調信号およびメトリックは、誤り訂正復号部２４０によって軟判定ビタビ復号された後、元の信号に復元される。また、異なる並び替えパターンに従った各種のインタリーブ処理およびデインタリーブ処理に必要な遅延時間は、従来のインタリーブ処理およびデインタリーブ処理に必要な遅延時間と同一であり、遅延時間は増大しない。
【０１０２】
特に、複数の送信アンテナおよび複数の受信アンテナを用いたＭＩＭＯ−ＯＦＤＭ伝送を行う通信システムにおいて、ＵＨＦ帯、マイクロ波帯、ミリ波帯などの比較的高い周波数を用いてＯＦＤＭ信号を伝送する場合に、互いに相間の高い伝搬路で伝送されたＯＦＤＭ信号が遮蔽される環境では、各送信系統で同時に発生するバースト誤りを効果的に分散させることができる。また、通信システム全体のインタリーブ処理による遅延時間およびデインタリーブ処理による遅延時間は、従来のシステムと変わることがなく増大することはない。
【図面の簡単な説明】
【０１０３】
【図１】ＭＩＭＯ−ＯＦＤＭ伝送方式を用いた無線映像伝送システムの構成例を示す図である。
【図２】端末装置の構成例を示すブロック図である。
【図３】符号化部の構成例を示すブロック図である。
【図４】ビットインタリーブ部の構成例１を示すブロック図である。
【図５】ビットインタリーブ部の構成例２を示すブロック図である。
【図６】ＡＲＩＢ  ＳＴＤ  Ｂ−３３に規定された周波数インタリーブにより擬似ランダム系列信号を生成する回路のブロック図である。
【図７】周波数インタリーブ部の構成例を示すブロック図である。
【図８】時間インタリーブ部の構成例を示すブロック図である。
【図９】基地局装置の構成例を示すブロック図である。
【図１０】デインタリーブ部の構成例を示すブロック図である。
【図１１】時間デインタリーブ部の構成例を示すブロック図である。
【図１２】周波数デインタリーブ部の構成例を示すブロック図である。
【図１３】ビットデインタリーブ部の構成例１を示すブロック図である。
【図１４】ビットデインタリーブ部の構成例２を示すブロック図である。
【図１５】ＭＩＭＯ復調部がメトリックを生成する場合の構成例を示すブロック図である。
【図１６】ＭＩＭＯ復調部がメトリックを生成する場合の処理を説明するフロー図である。
【図１７】ＡＲＩＢ  ＳＴＤ−Ｂ３３に準拠した場合の、１６ＱＡＭで表される送信信号の配置を示す図である。
【図１８】１６ＱＡＭで表される４ビット信号の分布を示す図である。
【符号の説明】
【０１０４】
１００  端末装置
１０１  送信アンテナ
１１０  符号化部
１１１  外符号符号化部
１１２  外インタリーブ部
１１３  内符号符号化部
１１４  ビットインタリーブ部
１１５  周波数インタリーブ部
１１６  時間インタリーブ部
１２０  ＯＦＤＭ信号生成部
１３０  局部発信機およびミキサ
１４１，１４６，２７１，２７６  シリアル／パラレル変換部
１４２，１４８，１４９，２７２，２７５，２７７  ビット遅延部
１４７，２７８  ビット信号切替部
１６１，１６７，２５１，２５６  シンボル遅延部
１６６，２５７  信号切替部
２００  基地局装置
２０１  受信アンテナ
２１０  ＯＦＤＭ信号復調部
２２０  ＭＩＭＯ復調部
２３０  デインタリーブ部
２３１  時間デインタリーブ部
２３２  周波数デインタリーブ部
２３３  ビットデインタリーブ部
２４０  誤り訂正復号部
２６１  Ｔｘ１初期値記録用メモリ
２６２，２６７  周波数デインタリーブ用メモリ
２６６  Ｔｘ２初期値記録用メモリ
２７３，２７９  パラレル／シリアル変換部
２２０１  ＱＲ分解部
２２０２  全変調候補点記録部
２２０３  ｘ１候補点生成およびｘ２誤差距離演算部
２２０４  候補点ｘ１’誤差距離演算部
２２０５  誤差距離合成部
２２０６  メモリ部
２２０７  ビタビブランチメトリック算出部
２２０８  系統別メトリック生成部
【図１】
2010147630.tif 000006
【図２】
2010147630.tif 000007
【図３】
2010147630.tif 000008
【図４】
2010147630.tif 000009
【図５】
2010147630.tif 000010
【図６】
2010147630.tif 000011
【図７】
2010147630.tif 000012
【図８】
2010147630.tif 000013
【図９】
2010147630.tif 000014
【図１０】
2010147630.tif 000015
【図１１】
2010147630.tif 000016
【図１２】
2010147630.tif 000017
【図１３】
2010147630.tif 000018
【図１４】
2010147630.tif 000019
【図１５】
2010147630.tif 000020
【図１６】
2010147630.tif 000021
【図１７】
2010147630.tif 000022
【図１８】
2010147630.tif 000023